(57)【要約】 【課題】一旦容器を開封するとおしぼりを開封前の状態に戻すことができず、また、おしぼりを何度も繰り返し使うことができない点、特に片手で容器を持っているときに手指を容易に拭けない点を解消する。【解決手段】食品容器１は、容器本体２の開口２Ｂを開閉可能に覆う蓋体３を、該開口２Ｂから順に、中間体３Ｂ、手拭体３Ｃ、上蓋体３Ｄにより構成し、該手拭体３Ｃを中間体３Ｂの上面と上蓋体３Ｄの下面との間に配置した。【効果】手拭体３Ｃを露出しないで中間体３Ｂによって容器本体２の開閉を何度でも繰り返し行え、また、容器本体２を開閉しないで上蓋体３Ｄにより手拭体３Ｃを露出状態又は保護状態に何度でも繰り返し行うことができる。【選択図】  図２
0003125134.tif 000002
【実用新案登録請求の範囲】
【請求項１】
一方端が閉口すると共に他方端が開口した有形の容器本体と、この容器本体の前記開口に設けられた蓋体とからなる容器であって、前記蓋体は、前記開口から順に、該開口の開閉を行う中間体と、この中間体の上面に配置された手拭体と、この手拭体の上面に配置されると共に中間体をも覆う上蓋体と、を有したことを特徴とする食品容器。
【請求項２】
少なくとも上蓋体と手拭体が折曲可能とされていることを特徴とする請求項１記載の食品容器。
【請求項３】
少なくとも手拭体を挟む中間体の上面側と上蓋体の下面側が防湿構造であることを特徴とする請求項１又は２記載の食品容器。
【請求項４】
中間体と上蓋体の周縁部に摘片を形成すると共に、容器本体の外周縁部にそれぞれの摘片が係合される係合部を形成したことを特徴とする請求項１〜３のいずれかに記載の食品容器。
【請求項５】
少なくとも中間体の上面周縁部又は上蓋体の下面周縁部に再貼着可能な粘着剤が塗布されていることを特徴とする請求項１〜４のいずれかに記載の食品容器。
【考案の詳細な説明】
【技術分野】
【０００１】
本考案は、特にスナック菓子を装入して好適な容器に係り、手拭用のおしぼりを有し、容器の開封後でも何度もおしぼりを繰り返し使うことができる食品容器に関する。
【背景技術】
【０００２】
以下の特許文献１〜３では、食品などの内容物が装入され、有底で上部が開口した容器本体と、この容器本体の前記開口に剥離又は開閉可能に設けた蓋体とを有した食品用容器において前記蓋体に付属品を設ける構成が示されている。
【０００３】
【特許文献１】特開２００１−２４００４０号公報
【特許文献２】実用新案登録第３０２３６０３号公報
【特許文献３】実用新案登録第３０２３６０２号公報
【０００４】
特許文献１〜３は、いずれも蓋体の裏面全域を覆う例えば防湿シートの周縁部のみを蓋体の裏面に貼着し、蓋体の裏面と防湿シートの間に割り箸や調味料、おしぼりを装入するという構成である。
【考案の開示】
【考案が解決しようとする課題】
【０００５】
ところで、スナック菓子は手で摘んで食することが多く、そのときに指に例えば塩など該スナック菓子の調味料や添加剤（油や着色料）が付着することがある。したがって、スナック菓子を食して指を拭かずに、例えば書類などを手にすると、その書類に油が付着して汚してしまうこととなる。
【０００６】
そこで、上記特許文献１〜３のような構成とされた容器において、おしぼりが装入されていれば、おしぼりで手を拭けるから、わざわざ手を洗いに行ったりする必要がないので便利ではあるが、以下の問題がある。
【０００７】
特許文献１〜３の構成は、防湿シートを蓋体の裏面から剥がしたり、おしぼりなどを取り出してしまうと、元の、つまり容器の開封前の状態に戻すことができないという問題がある。この理由は、特許文献１〜３の容器の適用前提が箸を使う例えば弁当などであり、直接手が汚れることを想定していないためと思われる。
【０００８】
上記スナック菓子においては、手指で摘んで食することが前提であり、片方の手は容器を持っている場合もある。また、一度に全部を食する場合だけでなく、何度にも分けて食する場合もある。このとき、上記特許文献１〜３の構成は、容器を開封してもおしぼりを開封前の状態に戻せて、しかもおしぼりを何度も繰り返し使える構成とはされておらず、片手がふさがっている場合に容易に手を拭くことができる構成となっていない。
【０００９】
本考案が解決しようとする問題点は、特許文献１〜３の構成では、蓋体におしぼりを設けている場合があるが、一旦容器を開封するとおしぼりを開封前の状態に戻すことができず、また、おしぼりを何度も繰り返し使うことができない点と容易に手指を拭くことができない点を解消することにある。
【課題を解決するための手段】
【００１０】
上記問題を解決するために、本考案の食品容器は、一方端が閉口すると共に他方端が開口した有形の容器本体と、この容器本体の前記開口に設けられた蓋体とからなる容器であって、蓋体が、前記開口から順に、該開口の開閉を行う中間体と、この中間体の上面に配置された手拭体と、この手拭体の上面に配置されると共に中間体をも覆う上蓋体と、を有した構成としている。
【考案の効果】
【００１１】
本考案に係る食品容器は、手拭体が上蓋体の下面と中間体の上面との間に配置されているので、開封前の手拭体が容器本体に装入された食品に触れることがない。また、容器本体の開閉とは別で上蓋体の操作により繰り返し手拭体を露出状態又は保護状態にすることができる。
【００１２】
また、本考案の食品容器は、容器本体の開閉とは別に該手拭体を露出状態にしたり保護状態にしたりできるから、手拭体のみを使用するときにわざわざ容器本体内を開封する必要がなく衛生的である。
【考案を実施するための最良の形態】
【００１３】
本考案は、図１及び図２に示す以下の形態により実施可能である。本考案の食品容器１は、例えば以下の構成とされている。２は、食品を内部に装入し、一方端に閉口した底部２Ａが、他方端に開口２Ｂが形成された有形の容器本体である。容器本体２は、本例では、例えば紙製とされ、また、底部２Ａから開口２Ｂに向けて大径となる切頭円錐状とされている。
【００１４】
また、容器本体２は、開口２Ｂの外周縁部に、後述の摘片Ｐ１，Ｐ２を係合するために周縁部を外側に折り返した係合部２Ｃが形成されている。そして、この容器本体２の内部には、例えばスナック菓子が装入されている。
【００１５】
３は、容器本体２の開口部に設けられた蓋体であり、この蓋体３は、次の構成とされている。容器本体２の開口２Ｂの上面には、本例では、周縁部全域が貼着されると共にその一部に開口部３ａが形成された取出体３Ａが設けられている。この開口部３ａは容器本体２の開口２Ｂの略半分程度の面積とされている。
【００１６】
この取出体３Ａは、開口部３ａ以外の箇所に後述の中間体３Ｂ、手拭体３Ｃ、上蓋体３Ｄが積層的に設けられることを考慮して補強的に設けたものであり必須構成ではない。しかし、取出体３Ａを設けることで、中間体３Ｂの開封限界位置が使用者に視認させやすいといった利点がある。
【００１７】
取出体３Ａの上面には、例えばポリプロピレンでなる中間体３Ｂが配置される。この中間体３Ｂは、その下面において、該取出体３Ａの開口部３ａ以外の部位に取り付けられた取付部３ｂと、この取付部３ｂ以外の周縁部に形成され、該取出体３Ａの上面周縁部から剥離可能な剥離部３ｃと、を有する。また、中間体３Ｂの所定箇所には摘片Ｐ１が形成されている。
【００１８】
なお、本例では、中間体３Ｂの剥離部３ｃには、剥離後であっても再貼着が可能な粘着剤が塗布されている。このようにしておけば、中間体３Ｂの剥離部３ｃを取出体３Ａから剥離して容器本体２を開封した後に、再度容器本体２の開口２Ｂを閉口しておくことができる。
【００１９】
また、本例の中間体３Ｂに防湿性の素材であるポリプロピレンを採用している理由は、次の通りである。すなわち、中間体３Ｂに求められる特性としては、後述する手拭体３Ｃと食品とが接触しないこと、手拭体３Ｃが湿ったものである場合は、湿気を損なわないようにすると共に容器本体２内に湿気が侵入しないことであり、これらを満たす材料として好適だからである。
【００２０】
さらに、中間体３Ｂはポリプロピレンを採用することで、防湿性であること以外に、例えば折り曲げて、曲げ癖を付けておくことができると共に繰り返しの曲げ癖で裂けたり破れたりしにくいという副次的な効果も有している。
【００２１】
中間体３Ｂの上面には手拭体３Ｃが配置され、この手拭体３Ｃは取付部３ｂの部位における上面に取り付けられている。この手拭体３Ｃは、本例では例えば水を少量含ませた不織布が用いられ、中間体３Ｂからはみ出すことのない程度で所定の大きさとされている。
【００２２】
手拭体３Ｃの上面には、中間体３Ｂの該手拭体３Ｃが取り付けられた箇所を覆い、かつ全体としては中間体３Ｂと同じ大きさの上蓋体３Ｄが配置される。上蓋体３Ｄは、その下面に、中間体３Ｂの取付部３ｂの部位の上面に対して取り付けられる取付部３ｄと、この取付部３ｄ以外の周縁部に形成され、中間体３Ｂの上面周縁部から剥離可能な剥離部３ｅと、を有している。また、上蓋体３Ｄは、本例では中間体３Ｂの摘片Ｐ１と重なる位置に摘片Ｐ２が形成されている。
【００２３】
上蓋体３Ｄは、手拭体３Ｃに面する側を防湿構造としている。本例では、図示しないが上面は紙製で、その裏面、つまり手拭体３Ｃに面する側にポリプロピレンを貼着したものを採用し、折曲可能とされている。
【００２４】
なお、本例では、上蓋体３Ｄの剥離部３ｅには、剥離後であっても再貼着が可能な粘着剤が塗布されている。このようにしておけば、上蓋体３Ｄの剥離部３ｅを中間体３Ｂから剥離して手拭体３Ｃを露出し、該手拭体３Ｃを使用した後に、再度手拭体３Ｃを湿気を失わないように保護しておくことができる。
【００２５】
上記構成の食品容器１は、次のように使用される。未開封状態の食品容器１は、内部にスナック菓子が装入されている。図１に示すように、中間体３Ｂは、取付部３ｂにより取出体３Ａに取り付けられ、剥離部３ｃにより取出体３Ａの上面周縁部に貼着されている。また、中間体３Ｂの摘片Ｐ１が係合部２Ｃに係合している。
【００２６】
また、中間体３Ｂの上面と上蓋体３Ｄの下面との間の密閉空間には、手拭体３Ｃが存在している。上蓋体３Ｄは、取付部３ｄにより中間体３Ｂに取り付けられ、剥離部３ｅにより中間体３Ｂの上面周縁部に貼着されている。また、上蓋体３Ｄの摘片Ｐ２は、中間体３Ｂの摘片Ｐ１と重ねられて係合部２Ｃに係合している。
【００２７】
そして、容器本体２内のスナック菓子のみを取り出すならば、中間体３Ｂの摘片Ｐ１を上蓋体３Ｄの摘片Ｐ２と共に係合部２Ｃの係合を外して上方に引き上げ、剥離部３ｃにより取出体３Ａの上面周縁部から中間体３Ｂを剥離する。中間体３Ｂが取出体３Ｂから剥離されると、該取出体３Ｂの開口部３ａを介して容器本体１が開封状態となる。
【００２８】
スナック菓子を食するのを途中で止める場合は、中間体３Ｂの摘片Ｐ１を折り曲げて係合部２Ｃに係合させることで、この操作に伴って、本例では再貼着可能な粘着剤が塗布された剥離部３ｃによって再度取出体３Ａの上面周縁部と中間体３Ｂとが貼着し、開口部３ａを閉口することができる。
【００２９】
このとき、あるいは開口部３ａを中間体３Ｂにより閉口する前、上蓋体３Ｄの摘片Ｐ２を操作して、図２に示すように、剥離部３ｅにより上蓋体３Ｄを中間体３Ｂの上面周縁部から剥離する。上蓋体３Ｄと中間体３Ｂの上面周縁部とが剥離されることで手拭体３Ｃが露出する。この露出体３Ｃ（適度に湿っている）により、スナック菓子の調味料や添加剤が付着した手指を拭く。
【００３０】
特に、本例では、上記した手拭体３Ｃにより手指、特に親指と人差指を拭くときに、中間体３Ｂの剥離部３ｅから取付部３ｄへ向かう直径方向（以下、前後方向という）に対して直交状に上蓋体３Ｄを手拭体３Ｃと共に折り曲げることで、調度、手拭体３Ｃが折り曲げた上下面に位置することとなり、親指と人差指で該上下面を摘むようにして拭くことが可能となる。
【００３１】
そして、手が拭き終わった後、上蓋体３Ｄを本例においては上記した折り曲げた状態を元の状態に戻し、該上蓋体３Ｄの摘片Ｐ２を中間体３Ｂの摘片Ｐ１と共に係合部２Ｃに係合することで、この操作に伴って、本例では再貼着可能な粘着剤が塗布された剥離部３ｅによって再度中間体３Ｂの上面周縁部と上蓋体３Ｄとが貼着し、手拭体３Ｃが再度中間体３Ｂと上蓋体３Ｄとの間で密閉状態で保護される。
【００３２】
以上、説明したように、本考案の食品容器１は、手拭きを別途に用意する必要がなく、また、手を洗いに行く必要がなくなり、容器本体２内の食品を食した都度、手拭体３Ｃで手指を拭くことができる。
【００３３】
また、手拭体３Ｃは、中間体３Ｂと上蓋体３Ｄとの間で保護されているので、食品に付着することがないと共に、何度も繰り返し（数回に分けて容器本体２内の食品を食した都度）使用することでができる。さらに、手拭体３Ｃは、容器本体２などと一体的に設けられているので、容器本体２内の食品を食し終えた後は、全体をまとめて廃棄することができる。
【００３４】
そして、上蓋体３Ｄを手拭体３Ｃと共に前後方向に直交して折曲可能な構成とすることで、折り曲げた上下面を親指と人差指で摘むようにして手指を拭くことができ、特に片手で容器を持っているときには好適である。また、中間体３Ｂの上面と上蓋体３Ｄの下面が防湿構造であれば、手拭体３Ｃを若干湿らせたものである場合、手拭体３Ｃの湿度を保つと共にその湿気が容器本体２内に侵入することがなく、食品と手拭体３Ｃを良好に維持することができる。
【図面の簡単な説明】
【００３５】
【図１】本考案の食品容器であり、（ａ）は開封前の状態を示す斜視図、（ｂ）は（ａ）のＡ−Ａ線断面図である。
【図２】本考案の食品容器の開封状態を示す斜視図である。
【符号の説明】
【００３６】
１  食品容器
２  容器本体
２Ｂ  開口
２Ｃ  係合部
３  蓋体
３Ｂ  中間体
３ｃ  剥離部
３Ｃ  手拭体
３Ｄ  上蓋体
３ｅ  剥離部
Ｐ１  摘片
Ｐ２  摘片
【図１】
0003125134.tif 000003
【図２】
0003125134.tif 000004